(57)【要約】【課題】本発明は、市販されている物干竿受具に着脱可能に取り付けることができる汎用性のある物干竿止め具を提供することが本発明の課題である。【解決手段】物干竿受具の竿受部に掛け渡される物干竿が容易に外れないようにする物干竿止め具において、物干竿止め具は物干竿受具に取付部によって着脱可能に取り付けられ、取付部は、受面から間隔を置いて螺孔板をほぼ平行に設け、その螺孔板に設けたねじ孔に押圧ねじを螺合して成り、竿受部近傍の周辺体を、受面と螺孔板で挟むように配設して、押圧ねじを締め付けることによって、押圧ねじと受面との間で周辺体を挟んで取り付けられるようにして成るものである。【選択図】        図２
2004290479.tif 000002
【特許請求の範囲】
【請求項１】
物干竿受具の竿受部に掛け渡される物干竿が容易に外れないようにする物干竿止め具において、物干竿止め具は物干竿受具に取付部によって着脱可能に取り付けられ、取付部は、受面から間隔を置いて螺孔板をほぼ平行に設け、その螺孔板に設けたねじ孔に押圧ねじを螺合して成り、竿受部近傍の周辺体を、受面と螺孔板で挟むように配設して、押圧ねじを締め付けることによって、押圧ねじと受面との間で周辺体を直接又は間接的に挟んで取り付けられるようにしたことを特徴とする物干竿止め具。
【請求項２】
物干竿受具の竿受部に掛け渡される物干竿が容易に外れないようにする物干竿止め具において、物干竿止め具は物干竿受具に取付部によって着脱可能に取り付けられるようにして成り、押え具と受止具を有し、押え具は受止具と接近・離隔可能で、押え具と受止具との間で物干竿を挟持できるようにしたことを特徴とする物干竿止め具。
【請求項３】
物干竿受具の竿受部に掛け渡される物干竿が容易に外れないようにする物干竿止め具において、物干竿止め具は物干竿受具に取付部によって着脱可能に取り付けられ、取付部は、受面から間隔を置いて螺孔板をほぼ平行に設け、その螺孔板に設けたねじ孔に押圧ねじを螺合して成り、竿受部近傍の周辺体を、受面と螺孔板で挟むように配設して、押圧ねじを締め付けることによって、押圧ねじと受面との間で周辺体を直接又は間接的に挟んで取り付けられるように構成し、さらに、押え具と受止具を有し、押え具は受止具と接近・離隔可能で、押え具と受止具との間で物干竿を挟持できるようにしたことを特徴とする物干竿止め具。
【発明の詳細な説明】
【０００１】
【発明が属する技術分野】
本発明は、建物の壁面やベランダの手摺等に２つを一組として取り付けて、腕杆の竿受部に物干竿を掛け渡して使用する物干竿受具に着脱可能に取り付けられる物干竿止め具であって、物干竿が物干竿受具から容易に外れないようにするためのものである。
【０００２】
【従来の技術】
従来より、特許第３０８０５８３号発明のように、竿受部の近傍に物干竿を押圧できるよう付勢された押え具を設けた物干竿受具において、押え具は、２つの半体から構成し、周縁で囲まれた範囲内を移動可能になるように、２つの半体で両面から竿受部を挟んで取り付け、物干竿を押え具と竿受部で挟持する物干竿受具が提案されている。
【０００３】
【発明が解決しようとする課題】
上記従来例においては、市販されている物干竿受具に取り付けることができないので、本発明は、市販されている物干竿受具に着脱可能に取り付けることができる汎用性のある物干竿止め具を提供することが本発明の課題である。
【０００４】
【課題を解決するための手段】
本発明は、上記の課題を解決するために、請求項１の発明においては、物干竿受具の竿受部に掛け渡される物干竿が容易に外れないようにする物干竿止め具において、物干竿止め具は物干竿受具に取付部によって着脱可能に取り付けられ、取付部は、受面から間隔を置いて螺孔板をほぼ平行に設け、その螺孔板に設けたねじ孔に押圧ねじを螺合して成り、竿受部近傍の周辺体を、受面と螺孔板で挟むように配設して、押圧ねじを締め付けることによって、押圧ねじと受面との間で周辺体を直接又は間接的に挟んで取り付けられるようにして成るものであり、請求項２の発明においては、物干竿受具の竿受部に掛け渡される物干竿が容易に外れないようにする物干竿止め具において、物干竿止め具は物干竿受具に取付部によって着脱可能に取り付けられるようにして成り、押え具と受止具を有し、押え具は受止具と接近・離隔可能で、押え具と受止具との間で物干竿を挟持できるようにして成るものであり、請求項３の発明においては、物干竿受具の竿受部に掛け渡される物干竿が容易に外れないようにする物干竿止め具において、物干竿止め具は物干竿受具に取付部によって着脱可能に取り付けられ、取付部は、受面から間隔を置いて螺孔板をほぼ平行に設け、その螺孔板に設けたねじ孔に押圧ねじを螺合して成り、竿受部近傍の周辺体を、受面と螺孔板で挟むように配設して、押圧ねじを締め付けることによって、押圧ねじと受面との間で周辺体を直接又は間接的に挟んで取り付けられるように構成し、さらに、押え具と受止具を有し、押え具は受止具と接近・離隔可能で、押え具と受止具との間で物干竿を挟持できるようにして成るものである。
【０００５】
【発明の実施の形態】
発明の実施の形態を第一実施例に基づき図１〜図５を参照して説明する。
本発明の第一実施例の物干竿止め具Ｓ１は、物干竿受具Ｄに固定される基体１と、物干竿Ｐを押圧する押え具２を有している。
基体１は、全体形状が略Ｌ字状で、一方の片の内面には、倒Ｕ字状の受止具５を突設すると共に受止具５の中央にばね１０を設置できるようになっており、他方の片の外面には取付部６を設けてある。
取付部６は、他方の片の外面を受面８とし、その受面８から間隔を置いて螺孔板９を平行に設け、その螺孔板９のねじ孔に押圧ねじ７を螺合して成るものである。受面８にはゴム製のシートを貼り付けてある。
なお、押圧ねじ７の先端に、ゴム等の当て物を回転自在に取り付けておけば、後述する周辺体１６を傷つけることなく、かつ強固に、物干竿受具Ｄに物干竿止め具Ｓ１を固定することができる。
【０００６】
押え具２は、略Ｌ字状の２つの半体３と半体４から成り、ねじ１１・１１で一体化して基体１に摺動可能に取り付けられ、ばね１０で前方つまり受止具５と接近する方向に付勢されており、前面を挟持面１２とし、ゴム製のシートを貼り付けてある。
【０００７】
組み立てるには、受止具５を挟んで、押え具２の半体３と半体４を合わせてねじ１１・１１を螺合して両者を一体化する。この時、受止具５の中央に設置されたばね１０が半体３と半体４の間に位置して、押え具２を前方に付勢するようになる。
押え具２の半体４には、ねじ１１・１１で一体化した片から直角に連なる片を操作部１３としてあり、この操作部１３は押え具２をばね１０に抗して、押え具２を後方つまり受止具５と離隔する方向に摺動させるためのものである。
【０００８】
物干竿止め具Ｓ１を取り付けるには、物干竿受具Ｄの腕杆１４の竿受部１５横の周辺体１６を、受面８と螺孔板９で挟むように配設して、押圧ねじ７を締め付けると、押圧ねじ７と受面８が周辺体１６を挟み、物干竿止め具Ｓ１が物干竿受具Ｄの腕杆１４に挟着される。そして、物干竿止め具Ｓ１が挟着された状態では、押え具２の挟持面１２と受止具５との間の空間が竿受部１５の空間と対応し、物干竿Ｐが両空間を貫通するようになる。
なお、押圧ねじ７と受面８は、直接周辺体１６を挟んでもいいし、それぞれゴム製のシートや当て物等を取り付けて間接的に周辺体１６を挟むようにしてもよい。また、物干竿止め具Ｓ１は、竿受部１５の上下の肉厚の部分に取り付けられるようにしてもよく、周辺体１６は竿受部１５の近傍であれば上下の肉厚の部分も含むものである。
【０００９】
使用するには、押え具２の操作部１３をばね１０に抗して後方に摺動させ、押え具２の挟持面１２と受止具５の間の空間を広げ、そこに物干竿Ｐを貫通させ、操作部１３を放せばばね１０の力で押え具２が前方に摺動し、挟持面１２が物干竿Ｐを押圧して受止具５との間に挟持する。
【００１０】
発明の実施の形態を第二実施例に基づき図６〜図９を参照して説明する。
本発明の第二実施例の物干竿止め具Ｓ２は、全体形状が略コ字状の受止具１８の一側に取付部２０を設け、他側に回動具１９を回動可能に設けてこの回動具１９に倒Ｕ字状の押え具１７を取り付けてある。
【００１１】
取付部２０の構造及び物干竿受具Ｄへの取り付け方は、第一実施例とほぼ同様であるので省略する。
使用するには、回動具１９を図８に示すように起こし、押え具１７と受止具１８の間の空間を広げ、そこに物干竿Ｐを貫通させ、図７に示すように回動具１９を倒せば押え具１７が物干竿Ｐを押圧して受止具１８との間に挟持することができる（図６参照）。
【００１２】
回動具１９と押え具１７の構造は、回動具１９を回動して緊締・解除する緊締具であり、押え具１７が移動して物干竿Ｐを押圧するものであり、この第二実施例においては、押え具１７と受止具１８の関係は、第一実施例と逆になっている。つまり、第二実施例においては、倒Ｕ字状の押え具１７が受止具１８と接近・離隔可能で後方に移動して物干竿Ｐを押圧するのに対し、第一実施例においては、倒Ｕ字状の受止具５は移動せず、反対側の押え具２が受止具５と接近・離隔可能で後方に移動して物干竿Ｐを押圧するものである。
【００１３】
【発明の効果】
以上のように本発明によれば、押圧ねじを締め付ければ物干竿受具の竿受部の近傍に固定することができるので、市販されている物干竿受具に簡単に取り付けることができ、汎用性のある物干竿止め具を提供することができるという効果がある。
また請求項２及び請求項３の発明においては、物干竿を竿受部の縁に押し付けて挟持するのではなく、押え具と受止具で挟持するので、竿受部の形状に拘わらず、物干竿を挟持して物干竿受具から容易に外れないようにすることができるという効果がある。
【図面の簡単な説明】
【図１】第一実施例の使用状態を示す斜視図である。
【図２】図１の要部のＡ−Ａ線拡大断面図である。
【図３】第一実施例の要部の斜視図である。
【図４】第一実施例の分解斜視図である。
【図５】第一実施例の裏面から見た斜視図である。
【図６】第二実施例の使用状態を示す斜視図である。
【図７】第二実施例の緊締状態（回動具を倒した状態）の斜視図である。
【図８】第二実施例の解除状態（回動具を起こした状態）の斜視図である。
【図９】第二実施例の分解斜視図である。
【符号の説明】
Ｄ    物干竿受具
Ｐ    物干竿
２    押え具
５    受止具
６    取付部
７    押圧ねじ
８    受面
９    螺孔板
１４    腕杆
１５    竿受部
１６    周辺体
１７    押え具
１８    受止具
１９    回動具
２０    取付部
【図１】
2004290479.tif 000003
【図２】
2004290479.tif 000004
【図３】
2004290479.tif 000005
【図４】
2004290479.tif 000006
【図５】
2004290479.tif 000007
【図６】
2004290479.tif 000008
【図７】
2004290479.tif 000009
【図８】
2004290479.tif 000010
【図９】
2004290479.tif 000011